(57)【要約】【課題】必要な機能を有していない装置で入金処理を行おうとしたとしても、操作者に適切な情報を提供することによって、本来行おうとしている入金処理を効率よく完了させられるようにすることを課題とする。【解決手段】入金に先立ってレジカードを読み込むことによって、行おうとしている入金に対応するレジを識別して、識別したレジに対応する入金において必要な入金機１０の機能を特定し、特定した入金機１０の機能が当該入金機１０で機能しない状態の場合には、当該入金機１０では必要な機能が機能していない旨の報知を行うようにした。【選択図】図１
2016146034.tif 000002
【特許請求の範囲】
【請求項１】
商品の決済を担うレジから持ち込まれる有価媒体を収納する有価媒体処理装置を有する有価媒体処理システムであって、
前記有価媒体処理装置が前記有価媒体の受付を行う場合に、前記有価媒体の収納に関する追加機能の提供が必要であるか否かをレジ毎に管理する必要機能管理手段と、
前記追加機能を当該有価媒体処理装置が提供可能であるか否かを管理する提供機能管理手段と、
前記有価媒体の受付に際し、対象となるレジを特定するレジ特定手段と、
前記レジ特定手段により特定されたレジについて、前記追加機能の提供が必要であるか否かを判定する判定手段と、
前記判定手段により前記追加機能の提供が必要であると判定され、かつ当該追加機能の提供ができない場合に報知する報知手段と
を備えたことを特徴とする有価媒体処理システム。
【請求項２】
前記報知手段は、前記判定手段によって必要であると判定した追加機能が提供不可能な場合には、自装置では前記追加機能が提供できない旨のメッセージの報知を行うことを特徴とする請求項１に記載の有価媒体処理システム。
【請求項３】
前記有価媒体処理装置が複数存在する場合に、自装置以外の他の有価媒体処理装置が前記追加機能を提供可能であるか否かを管理する他装置提供機能管理手段をさらに備え、
前記報知手段は、前記判定手段によって必要であると判定した追加機能が提供不可能な場合には、必要であると判定した追加機能が提供可能な他の有価媒体処理装置を識別する情報を報知することを特徴とする請求項２に記載の有価媒体処理システム。
【請求項４】
前記有価媒体処理装置は、収納した有価媒体に係る情報を、通帳に対して印刷する印刷制御手段をさらに備え、
前記判定手段は、当該有価媒体処理装置に通帳への印刷が行える通帳印刷機が接続されている場合に、前記印刷制御手段による通帳に対して収納した有価媒体に係る情報を印刷する機能の提供が可能と判定することを特徴とする請求項１、２又は３に記載の有価媒体処理システム。
【請求項５】
前記有価媒体処理装置は、前記レジの売上金の回収を行う回収カセットの解錠を行うことのできるカセット解錠機に対して使用可能な状態と使用不可能な状態とを切り替える切替手段をさらに備え、
前記判定手段は、自装置に前記カセット解錠機が接続されている場合に、前記回収カセットを解錠する機能の提供が可能と判定することを特徴とする請求項１〜４のいずれか一つに記載の有価媒体処理システム。
【請求項６】
前記必要機能管理手段は、前記有価媒体処理装置が備えていることを特徴とする請求項１〜５のいずれか一つに記載の有価媒体処理システム。
【請求項７】
前記判定手段によって不要であると判定した追加機能が提供可能な場合には、当該追加機能を提供する機器の動作を抑止する追加機能制御手段
をさらに備えたことを特徴とする請求項１又は２に記載の有価媒体処理システム。
【請求項８】
商品の決済を担うレジから持ち込まれる有価媒体を収納する有価媒体処理装置であって、
前記有価媒体の収納に関する追加機能を自装置が提供可能であるか否かを管理する提供機能管理手段と、
前記有価媒体の受付に際し、対象となるレジを特定するレジ特定手段と、
前記レジ特定手段により特定されたレジについて、前記追加機能の提供が必要であるか否かを判定する判定手段と、
前記判定手段により前記追加機能の提供が必要であると判定され、かつ当該追加機能の提供ができない場合に報知する報知手段と
を備えたことを特徴とする有価媒体処理装置。
【請求項９】
商品の決済を担うレジから持ち込まれる有価媒体を収納する有価媒体処理装置を有する有価媒体処理システムにおける有価媒体処理方法であって、
前記有価媒体処理装置が前記有価媒体の受付を行う場合に、前記有価媒体の収納に関する追加機能の提供が必要であるか否かをレジ毎に管理する必要機能管理ステップと、
前記追加機能を当該有価媒体処理装置が提供可能であるか否かを管理する提供機能管理ステップと、
前記有価媒体の受付に際し、対象となるレジを特定するレジ特定ステップと、
前記レジ特定ステップにより特定されたレジについて、前記追加機能の提供が必要であるか否かを判定する判定ステップと、
前記判定ステップにより前記追加機能の提供が必要であると判定され、かつ当該追加機能の提供ができない場合に報知する報知ステップと
を含んだことを特徴とする有価媒体処理方法。
【発明の詳細な説明】
【技術分野】
【０００１】
この発明は、百貨店、スーパーマーケット及びショッピングモールなどの商業施設において、施設内のレジやテナント店の売上金を入金する有価媒体処理システム、有価媒体処理装置及び有価媒体処理方法に関する。
【背景技術】
【０００２】
従来、複数の店舗が入店している複合小売店において、店舗の売上金である貨幣を受け付けて、受け付けた貨幣の真贋判定を行うとともに、受け付けた貨幣の金額を計数して、計数した貨幣を内部の収納部に収納して、収納した貨幣の情報を印字して出力する技術が知られている。
【０００３】
例えば、特許文献１には、カードに記憶された入金操作を行う操作者の識別情報を読み込むカードリーダと、紙幣及び硬貨の真贋判定、計数及び内部の収納部への収納を行う貨幣処理装置と、貨幣処理装置に収納した貨幣の情報を出力するプリンタとを備えて、カードリーダで操作者のＩＤカードから操作者の識別情報を取得して、貨幣処理装置にセットされた貨幣に対して真贋判定及び計数をして収納部への収納を行い、貨幣処理装置に収納された貨幣に係る情報をプリンタに出力する技術が開示されている。
【０００４】
この貨幣処理装置を使用して売上金を入金するのは、当該貨幣処理装置を管理する親店の直営店だけではなく、他社であるテナント店も行うことを可能としている。ただし、テナント店が入金したことに対する受取書は、印紙税法によって印紙を貼ったうえで発行する必要があり、受取書の発行ごとに印紙代がかかるということに加えて印紙を貼付する手間もかかってしまう。これに対して、テナント店の場合には入金したことによる受取の記録を複数回分記録することができる通帳を受取書として使用する技術も知られている。通帳のように複数回分記録することができる冊子状になった媒体に受取の記録を付ける場合には、１冊に対して１枚の印紙の貼付でよいことから、印紙代や印紙を貼付する手間を大幅に軽減することができる。
【０００５】
例えば、特許文献２では、レジの識別情報を記憶しているカードをカードリーダで読み込むことによってレジの識別情報を取得して、レジの識別情報から直営店のレジなのかテナント店のレジなのかの判定を行い、直営店のレジと判定した場合には１件１葉の受取書を出力するものとし、テナント店のレジと判定した場合には受取の記録を複数回分記録することができる通帳に出力するという技術が開示されている。
【先行技術文献】
【特許文献】
【０００６】
【特許文献１】特開２０１０−２２４６０９号公報
【特許文献２】特許第３５５９６５２号公報
【０００７】
しかしながら、複合小売店に複数の貨幣処理装置が導入されている場合などは、導入している全ての貨幣処理装置に通帳に対する印字を行う通帳プリンタが接続されているとは限らない。通帳印字を行いたいにもかかわらず、操作者が通帳プリンタの接続されていない貨幣処理装置で入金操作を行ってしまうと、通帳への印字が行われずに入金処理が終了してしまう。このような場合に、印字されなかった入金内容を通帳に反映するためには、親会社の管理者に依頼して手作業による対処が必要となってしまい、操作者にとっても親会社の管理者にとっても効率性が損なわれてしまうこととなる。また、入金処理の途中で操作者が気付いたとしても既に貨幣の計数を行ってしまった場合などは、処理を途中で中断して、計数してしまった貨幣の回収をして、通帳プリンタの接続されている他の貨幣処理装置に移動して、入金処理を最初からやり直しを行わなければならず、やはり操作者の効率性が損なわれることとなってしまう。
【０００８】
このように、入金処理時に必要な機能（通帳プリンタに限らず）を有していない装置で入金処理を行おうとした時に、本来行おうとしている入金処理を効率よく完了させることができるようにすることが重要な課題となっている。
【０００９】
本発明は、上述した従来技術の課題を解決するためのものであって、必要な機能を有していない装置で入金処理を行おうとしたとしても、操作者に適切な情報を提供することによって、本来行おうとしている入金処理を効率よく完了させることができる有価媒体処理システム、有価媒体処理装置及び有価媒体処理方法を提供することを目的とする。
【発明の概要】
【課題を解決するための手段】
【００１０】
上述した課題を解決し、目的を達成するため、本発明は、商品の決済を担うレジから持ち込まれる有価媒体を収納する有価媒体処理装置を有する有価媒体処理システムであって、前記有価媒体処理装置が前記有価媒体の受付を行う場合に、前記有価媒体の収納に関する追加機能の提供が必要であるか否かをレジ毎に管理する必要機能管理手段と、前記追加機能を当該有価媒体処理装置が提供可能であるか否かを管理する提供機能管理手段と、前記有価媒体の受付に際し、対象となるレジを特定するレジ特定手段と、前記レジ特定手段により特定されたレジについて、前記追加機能の提供が必要であるか否かを判定する判定手段と、前記判定手段により前記追加機能の提供が必要であると判定され、かつ当該追加機能の提供ができない場合に報知する報知手段とを備えたことを特徴とする。
【００１１】
また、本発明は、上記発明において、前記報知手段は、前記判定手段によって必要であると判定した追加機能が提供不可能な場合には、自装置では前記追加機能が提供できない旨のメッセージの報知を行うことを特徴とする。
【００１２】
また、本発明は、上記発明において、前記有価媒体処理装置が複数存在する場合に、自装置以外の他の有価媒体処理装置が前記追加機能を提供可能であるか否かを管理する他装置提供機能管理手段をさらに備え、前記報知手段は、前記判定手段によって必要であると判定した追加機能が提供不可能な場合には、必要であると判定した追加機能が提供可能な他の有価媒体処理装置を識別する情報を報知することを特徴とする。
【００１３】
また、本発明は、上記発明において、前記有価媒体処理装置は、収納した有価媒体に係る情報を、通帳に対して印刷する印刷制御手段をさらに備え、前記判定手段は、当該有価媒体処理装置に通帳への印刷が行える通帳印刷機が接続されている場合に、前記印刷制御手段による通帳に対して収納した有価媒体に係る情報を印刷する機能の提供が可能と判定することを特徴とする。
【００１４】
また、本発明は、上記発明において、前記有価媒体処理装置は、前記レジの売上金の回収を行う回収カセットの解錠を行うことのできるカセット解錠機に対して使用可能な状態と使用不可能な状態とを切り替える切替手段をさらに備え、前記判定手段は、自装置に前記カセット解錠機が接続されている場合に、前記回収カセットを解錠する機能の提供が可能と判定することを特徴とする。
【００１５】
また、本発明は、上記発明において、前記必要機能管理手段は、前記有価媒体処理装置が備えていることを特徴とする。
【００１６】
また、本発明は、上記発明において、前記判定手段によって不要であると判定した追加機能が提供可能な場合には、当該追加機能を提供する機器の動作を抑止する追加機能制御手段をさらに備えたことを特徴とする。
【００１７】
また、本発明は、商品の決済を担うレジから持ち込まれる有価媒体を収納する有価媒体処理装置であって、前記有価媒体の収納に関する追加機能を自装置が提供可能であるか否かを管理する提供機能管理手段と、前記有価媒体の受付に際し、対象となるレジを特定するレジ特定手段と、前記レジ特定手段により特定されたレジについて、前記追加機能の提供が必要であるか否かを判定する判定手段と、前記判定手段により前記追加機能の提供が必要であると判定され、かつ当該追加機能の提供ができない場合に報知する報知手段とを備えたことを特徴とする。
【００１８】
また、本発明は、商品の決済を担うレジから持ち込まれる有価媒体を収納する有価媒体処理装置を有する有価媒体処理システムにおける有価媒体処理方法であって、前記有価媒体処理装置が前記有価媒体の受付を行う場合に、前記有価媒体の収納に関する追加機能の提供が必要であるか否かをレジ毎に管理する必要機能管理ステップと、前記追加機能を当該有価媒体処理装置が提供可能であるか否かを管理する提供機能管理ステップと、前記有価媒体の受付に際し、対象となるレジを特定するレジ特定ステップと、前記レジ特定ステップにより特定されたレジについて、前記追加機能の提供が必要であるか否かを判定する判定ステップと、前記判定ステップにより前記追加機能の提供が必要であると判定され、かつ当該追加機能の提供ができない場合に報知する報知ステップとを含んだことを特徴とする。
【発明の効果】
【００１９】
本発明によれば、有価媒体処理装置が有価媒体の受付を行う場合に、有価媒体の収納に関する追加機能の提供が必要であるか否かをレジ毎に管理し、追加機能を当該有価媒体処理装置が提供可能であるか否かを管理し、有価媒体の受付に際し、対象となるレジを特定し、特定されたレジについて、追加機能の提供が必要であるか否かを判定し、追加機能の提供が必要であると判定され、かつ当該追加機能の提供ができない場合に報知するよう構成したので、必要な機能を有していない装置で入金処理を行おうとしたとしても、操作者に適切な情報を提供することによって、本来行おうとしている入金処理を効率よく完了させることができる。
【図面の簡単な説明】
【００２０】
【図１】図１は、回収カセットを持ち込んで入金して、入金結果を通帳に印字する場合の、入金機の機器の接続構成に応じた入金処理の概要を説明するための説明図である。
【図２】図２は、入金機の外観構成を示す図である。
【図３】図３は、入金機の紙幣及び硬貨を入金する場合の搬送経路の概要を説明するための説明図である。
【図４】図４は、カセット解錠機及び回収カセットの外観構成を示す図である。
【図５】図５は、回収カセットをカセット解錠機を使用して解錠する手順を説明するための説明図である。
【図６】図６は、入金機の本実施例に係る内部構成を示すブロック図である。
【図７】図７は、入金機の本実施例に係るデータ構成について説明するための説明図（その１）である。
【図８】図８は、入金機の本実施例に係るデータ構成について説明するための説明図（その２）である。
【図９】図９は、回収カセットを持ち込んで入金して入金結果を通帳に印字する場合の、入金処理に係る画面表示内容を説明するための説明図である。
【図１０】図１０は、入金機における入金処理の処理手順を示すフローチャートである。
【図１１】図１１は、図１０に示した入金機における入金処理のレジ識別情報取得処理の詳細な処理手順を示すフローチャートである。
【図１２】図１２は、図１０に示した入金機における入金処理の入金完了時処理の詳細な処理手順を示すフローチャートである。
【発明を実施するための形態】
【００２１】
以下に、添付図面を参照して、本発明に係る有価媒体処理システム、有価媒体処理装置及び有価媒体処理方法の好適な実施例を詳細に説明する。
【実施例】
【００２２】
まず、回収カセット４０を持ち込んで入金して、入金結果を通帳に印字する場合の、入金機１０の機器の接続構成に応じた入金処理の概要を説明する。図１は、回収カセット４０を持ち込んで入金して入金結果を通帳に印字する場合の、入金機１０の機器の接続構成に応じた入金処理の概要を説明するための説明図である。
【００２３】
親会社の直営店と他社のテナント店が入店している複合小売店に導入される入金機１０は、オプションで通帳プリンタ２１やカセット解錠機２２を接続することができる。通帳プリンタ２１は、入金機１０で行った入金の内容を通帳に印刷することのできるプリンタである。また、カセット解錠機２２は、レジの売上金を回収する回収カセット４０の解錠を行うことのできる機器である。複合小売店に入店している店舗のうち、テナント店の場合には多くは、入金機１０で行った入金の内容を通帳に印刷する。また、複合小売店に入店している店舗のレジ側の構成は必ずしも統一されているわけではないので、レジによっては、売上金を回収カセット４０で持ち込んで入金するケースだけではなく、現金や商品券などをじかに持ち込んで入金するケースもある。
【００２４】
複合小売店に複数の入金機１０が導入されるケースにおいては、全ての入金機１０の接続機器構成を統一する必要はないので、入金時に通帳に入金内容を出力したいレジの台数や、回収カセット４０で売上金を持ち込んで入金を行うレジの台数などに応じて、通帳プリンタ２１やカセット解錠機２２を接続する入金機１０の台数を決定するのが一般的である。つまり、複合小売店に導入される入金機１０は、装置によって通帳プリンタ２１やカセット解錠機２２が接続されているとは限らない。図１に示すレジ１０号機のように、売上金を回収カセット４０に収集して持ち込んで入金を行い、入金内容を通帳に出力したい場合には、カセット解錠機２２及び通帳プリンタ２１の接続されている入金機１０（２号機）のような構成の入金機１０で入金をしなければならない。
【００２５】
まず、レジ１０号機の売上金を入金機１０（２号機）で入金する場合の処理の概要を説明する。入金機１０（２号機）は、レジ１０号機に対応するレジカードの読み込みを受け付けることによって入金をするレジの識別情報を取得する。ここで、入金機１０（２号機）は、取得したレジの識別情報から当該レジで入金処理に必要としている機能を判別し、自装置に当該レジが必要としている機能があるか否かの判定を行う。
【００２６】
具体的には、入金機１０（２号機）は、レジ１０号機の入金処理には回収カセット４０の解錠機能と通帳への出力機能が必要であることを判別する。また、入金機１０（２号機）は、回収カセット４０の解錠機能を有するカセット解錠機２２及び通帳への出力機能を有する通帳プリンタ２１が接続されていることから、アラートの発報は行わない。
【００２７】
次に、操作者は、持ち込んだ回収カセット４０を入金機１０（２号機）に接続されているカセット解錠機２２にセットすることによって回収カセット４０を解錠する。操作者は、解錠された回収カセット４０から売上金を取り出して、入金機１０（２号機）に取り出した売上金を投入して入金を指示する操作をする。売上金の入金操作を受け付けた入金機１０（２号機）は、売上金として投入された貨幣や商品券の真贋判定、計数、及び装置内への収納を行って、入金内容を通帳プリンタ２１で通帳に印字して処理を終了する。
【００２８】
次に、操作者が接続されている機器を確認せずにレジ１０号機の売上金を入金機１０（１号機）で入金しようとした場合の処理の概要を説明する。入金機１０（１号機）は、レジ１０号機に対応するレジカードの読み込みを受け付けることによって入金をするレジの識別情報を取得する。ここで、入金機１０（１号機）は、取得したレジの識別情報から当該レジで入金処理に必要としている機能を判別し、自装置に当該レジが必要としている機能があるか否かの判定を行う。
【００２９】
具体的には、入金機１０（１号機）は、レジ１０号機の入金処理には回収カセット４０の解錠機能と通帳への出力機能が必要であることを判別する。しかしながら、入金機１０（１号機）には、回収カセット４０の解錠機能を有するカセット解錠機２２は接続されていないので、図１に示すようにカセット解錠機２２が接続されていない旨のアラートを表示して、処理を続行するか否かを選択するための画面を表示する。処理を続行しないことの選択となる「いいえ」を選択したならば入金処理は行わずに処理を終了する。
【００３０】
カセット解錠機２２以外の手段でカセットが解除できるような場合などに処理の続行の選択となる「はい」を選択したならば、通帳への出力機能を有する通帳プリンタ２１も接続されていないので、図１に示すように通帳プリンタ２１が接続されていない旨のアラートを表示して、処理を続行するか否かを操作に選択する画面を表示する。処理を続行しないことの選択となる「いいえ」を選択したならば入金処理は行わずに処理を終了する。
【００３１】
通常であれば、カセット解錠機２２が接続されていない旨のアラート報知若しくは通帳プリンタ２１が接続されていない旨のアラート報知を受けたならば、「いいえ」を選択して処理を中断して、他のカセット解錠機２２及び通帳プリンタ２１が接続されている入金機１０で処理をやり直すこととなる。この場合には、まだ入金処理に必要な操作を行うまえに中断して他の入金機１０で処理をやり直すので、やり直すことによって効率性を損なうことはない。
【００３２】
ただし、他の入金機１０が故障中などで使えない状態になっていた場合の対処として、処理の続行を選択することも可能としている。通帳プリンタ２１が接続されていなくとも入金処理の続行を示す「はい」を選択された場合に限り、入金処理を中断せずに続行する。この場合には、操作者は、カセット解錠機２２以外の方法で解錠した回収カセット４０から売上金を取り出して、入金機１０（１号機）に投入して入金を指示する操作をする。投入された売上金の入金操作を受け付けた入金機１０（１号機）は、投入された現金及び商品券などの真贋判定、計数、及び装置内への収納を行って通帳への出力は行わずに処理を終了こととなる。
【００３３】
このように、入金に先立ってレジカードを読み込むことによって、行おうとしている入金に対応するレジを識別して、識別したレジに対応する入金において必要な入金機１０の機能を特定し、特定した入金機１０の機能が当該入金機１０で機能しない状態の場合には、当該入金機１０では必要な機能が機能していない旨の報知を行うようにしたので、必要な機能を有していない装置で入金処理を行おうとしたとしても、操作者に適切な情報を提供することによって、本来行おうとしている入金処理を効率よく完了させることができる。
【００３４】
次に、入金機１０の外観構成を説明する。図２は、入金機１０の外観構成を示す図である。図２に示すように、入金機１０は外観構成上、表示操作部１１と、ジャーナル印字部１２と、ＩＣカードリーダライタ１３と、紙幣投入口１４ａと、紙幣リジェクト口１４ｂと、紙幣スタッカ部１４ｃと、紙幣スタッカシャッタ１４ｄと、硬貨投入口１５ａと、硬貨リジェクト口１５ｂとを有する。
【００３５】
表示操作部１１は、タッチパネルディスプレイ等の表示及び入力の行うことができる入出力部である。入金機１０が有する機能に対するメニューを表示したり、入金操作等における入力を受け付ける。ジャーナル印字部１２は、入金処理において出力するジャーナルを印刷する出力部である。ＩＣカードリーダライタ１３は、レジカード及び社員カード等のＩＣカードをかざすことによってＩＣカードが記憶している内容を読み込んだり、ＩＣカードが記憶している内容を更新することができる入出力部である。
【００３６】
紙幣投入口１４ａは、入金機１０に投入して真贋判定及び計数を行う紙幣及び商品券を投入する口である。紙幣リジェクト口１４ｂは、紙幣投入口１４ａに投入した紙幣及び商品券を真贋判定した結果、真正なものとは判定できなかった紙幣及び商品券を排出する口である。紙幣スタッカ部１４ｃは、入金機１０によって入金ではなく真贋判定及び計数のみを行って内部に収納しない計数処理を行った場合に計数された紙幣及び商品券を一時貯留する場所である。紙幣スタッカシャッタ１４ｄは、紙幣スタッカ部１４ｃに貯留されている紙幣及び商品券の抜き取りを保護するためのものであり、計数処理中は閉じていて、計数が終了したならば操作者が抜き取り可能となるように開く。
【００３７】
硬貨投入口１５ａは、入金機１０に投入して真贋判定及び計数を行う硬貨を投入する口である。硬貨リジェクト口１５ｂは、硬貨投入口１５ａに投入した硬貨を真贋判定した結果、真正な硬貨とは判定できなかった硬貨を排出する口である。
【００３８】
次に、入金機１０の紙幣及び硬貨を入金する場合の搬送経路の概要を説明する。図３は、入金機１０の紙幣及び硬貨を入金する場合の搬送経路の概要を説明するための説明図である。なお、図３に示す内容は物理的な構造や配置を説明したものではなく、紙幣、商品券及び硬貨の入金処理に係る処理部の機能とその関係を示した概念図である。
【００３９】
まず、図３（ａ）で、紙幣及び商品券の搬送経路と、搬送経路中に存在する処理部の機能と処理部間の関係を説明する。紙幣投入口１４ａに投入された紙幣又は商品券は、紙幣搬送部１４ｅに１枚ずつ繰り出される。紙幣搬送部１４ｅは、繰り出された紙幣又は商品券を紙幣搬送路上にある紙幣識別部１４ｆに搬送する。紙幣識別部１４ｆは、搬送されてきた紙幣又は商品券の真偽及び金種の判定を行う。
【００４０】
紙幣識別部１４ｆで真正な紙幣または商品券と判定されなかった場合には、紙幣リジェクト口１４ｂに搬送される。また、入金の処理において、紙幣識別部１４ｆで真正な紙幣又は商品券と判定された場合には、紙幣一時保留部１４ｇに搬送される。紙幣一時保留部１４ｇに搬送された紙幣又は商品券は、入金者による承認操作に基づいて、制御部から収納の指示を受け付けると、一括で紙幣収納部１４ｈに収納される。また、紙幣一時保留部１４ｇに搬送された紙幣又は商品券は、制御部からの返却（非承認）の指示を受け付けると、収納せずに操作者が返却できる状態となる。
【００４１】
また、入金ではなく計数のみの指定をした場合に、紙幣識別部１４ｆで真正な紙幣または商品券と判定された場合には、紙幣スタッカ部１４ｃに搬送され、紙幣スタッカ部１４ｃに所定の枚数が貯まるか、投入した紙幣又は商品券の全ての計数が終了すると図示しない紙幣スタッカシャッタ１４ｄが開いて取出し可能となる。
【００４２】
次に、図３（ｂ）で、硬貨の搬送経路と、搬送経路中に存在する処理部の機能と処理部間の関係を説明する。硬貨投入口１５ａに投入された硬貨は、硬貨搬送部１５ｃに１枚ずつ繰り出される。硬貨搬送部１５ｃは、繰り出された硬貨を硬貨搬送路上にある硬貨識別部１５ｄに搬送する。硬貨識別部１５ｄは、搬送されてきた硬貨の真偽及び金種の判定を行う。
【００４３】
硬貨識別部１５ｄで真正な硬貨と判定されなかった場合には、硬貨リジェクト口１５ｂに搬送される。また、硬貨識別部１５ｄで真正な硬貨と判定された場合には、硬貨一時保留部１５ｅに搬送される。硬貨一時保留部１５ｅに搬送された硬貨は、入金者による承認操作に基づいて、制御部から収納の指示を受け付けると、一括で硬貨収納部１５ｆに収納される。また、硬貨一時保留部１５ｅに搬送された硬貨は、制御部からの返却（非承認）の指示を受け付けると、収納せずに操作者が返却できる状態となる。
【００４４】
次に、カセット解錠機２２及び回収カセット４０の外観構成を説明する。図４は、カセット解錠機２２及び回収カセット４０の外観構成を示す図である。
【００４５】
図４（ａ）に示すように、カセット解錠機２２は、回収カセット４０を装填することができ、当該回収カセット４０をセットして奥側に押し込むことができるスライドベース部２２ａと、回収カセット４０の押し込みを規制したりその規制を解除したりすることができ、スライド可能なカバー部２２ｂと、回収カセット４０のロック部を解錠するためのロック解錠部２２ｃと、回収カセット４０の状態等の所定の情報を表示する表示部２２ｄとを有している。ロック解錠部２２ｃは、その内部にキーを有しており、回収カセット４０を奥側に押し込むことに連動してキーが回動されて、回収カセット４０のロック部のロックが解錠されることとなる。
【００４６】
図４（ｂ）に示すように、回収カセット４０は、短手方向であって水平方向に延在する揺動軸を有し、回収カセット４０の上方筐体部４０ａは下方筐体部４０ｂに対して当該搖動軸を中心に上下報告に搖動自在となっている（図５（ｄ）参照）。なお、ロック部でロックされているときには、回収カセット４０の上方筐体部４０ａは下方筐体部４０ｂに対して搖動軸を中心として搖動することができないが、ロック部のロックが解錠されることで、上方筐体部４０ａが搖動軸を中心として上下方向に搖動することができる。そして、上方筐体部４０ａが上方に搖動されることで、回収カセット４０内に収容された紙幣を取り出すことができるようになる。
【００４７】
次に、回収カセット４０をカセット解錠機２２を使用して解錠する手順を説明する。図５は、回収カセット４０をカセット解錠機２２を使用して解錠する手順を説明するための説明図である。
【００４８】
図５（ａ）は、カセット解錠機２２に回収カセット４０を装填する位置関係を示した図である。カセット解錠機２２のスライドベース部２２ａに回収カセット４０の下方筐体部４０ｂの底面が接するようにセットすることによって回収カセット４０をカセット解錠機２２に装填する。そのようにして装填した図が、図５（ｂ）である。
【００４９】
図５（ｂ）の状態で、操作者が表示操作部１１で入金を選択することによって、カバー部２２ｂの押し込みの規制が解除されて、表示部２２ｄに解錠許可の旨の表示が行われ、回収カセット４０を奥側に押し込むことができるようになる。
【００５０】
次に図５（ｃ）に示すように、スライドベース部２２ａに設置された回収カセット４０を奥側に押し込むと、この押し込む動作によって回収カセット４０のロック部にロック解錠部２２ｃの内部にあるキーが挿入され、さらに押し込む動作と連動してキーが回動されてロック部のロックが解錠される。ロックが解錠されることによって図５（ｄ）に示すように、回収カセット４０の上方筐体部４０ａを上方に搖動（開放）することが可能となる。回収カセット４０の上方筐体部４０ａを上方に搖動することによって、回収カセット４０内に収容された貨幣を取り出すことができるようになる。なお、このようにして回収カセット４０が奥側に押し込まれてロック部のロックが解錠されると、表示部２２ｄには解錠中の旨の表示が行われる。
【００５１】
次に、入金機１０の本実施例に係る内部構成を説明する。図６は、入金機１０の本実施例に係る内部構成を示すブロック図である。図６に示すように、入金機１０には、通帳の印字を行う通帳プリンタ２１と、レジの売上金を回収する回収カセット４０の鍵を解錠するカセット解錠機２２と、５０枚の硬貨を棒状に包装した包装硬貨を受け付けて入金することが可能な包装硬貨入金機２３を接続することが可能である。ただし、通帳プリンタ２１、カセット解錠機２２及び包装硬貨入金機２３は、接続が必須というわけではない。一般的には、複合小売店に複数台の入金機１０が設置される場合には、通帳プリンタ２１、カセット解錠機２２及び包装硬貨入金機２３は、入金機１０によって接続されている装置と、接続されていない装置がある。
【００５２】
また、入金機１０は、表示操作部１１、ジャーナル印字部１２、ＩＣカードリーダライタ１３、紙幣制御部１４、硬貨制御部１５、通信部１６、記憶部１７及び本体制御部１８を有する。紙幣制御部１４は、図２、図３（ａ）に示した、紙幣投入口１４ａ、紙幣搬送部１４ｅ、紙幣識別部１４ｆ、紙幣リジェクト口１４ｂ、紙幣スタッカ部１４ｃ、紙幣スタッカシャッタ１４ｄ、紙幣一時保留部１４ｇ及び紙幣収納部１４ｈを制御して、紙幣及び商品券の真贋判定、計数及び収納の処理の制御を行う。硬貨制御部１５は、図２、図３（ｂ）に示した、硬貨投入口１５ａ、硬貨搬送部１５ｃ、硬貨識別部１５ｄ、硬貨リジェクト口１５ｂ、硬貨一時保留部１５ｅ及び硬貨収納部１５ｆを制御して、硬貨の真贋判定、計数及び収納の処理の制御を行う。通信部１６は、管理ＰＣ３０や複数設置されている他の入金機１０とデータ通信を行うためのインタフェース部である。
【００５３】
入金機１０は、複合小売店に複数台が設置された場合には、１台を親機として他を子機として、親機と子機の間でデータ通信を可能とする。本体制御部１８は親機としての機能、子機としての機能及び親機／子機で共通の機能を有している。
【００５４】
記憶部１７は、ハードディスク装置や不揮発性メモリ等からなる記憶デバイスである。記憶部１７は、入金機番号１７ａ、入金済判定対象時間設定データ１７ｂ、入金機設定データ１７ｃ、レジ設定データ１７ｄ、レジ特性別設定データ１７ｅ、権限設定データ１７ｆ、レジカードマッピングデータ１７ｇ、利用者データ１７ｈ及び入金履歴データ１７ｉを有する。
【００５５】
入金機番号１７ａは、複合小売店内に設置される複数の入金機１０を識別する自装置の識別情報である。入金済判定対象時間設定データ１７ｂは、時間の範囲を設定したデータであって、設定された範囲の時間に入金が行われたレジについては当日の売上の入金処理が完了していると判断する。これは、営業時間の途中で売上金の一部の入金を行ったのか、若しくは営業終了後の売上金の全額の入金を行ったのかを判定するための時間の基準値として使用される。
【００５６】
入金機設定データ１７ｃは、複合小売店内に設置されているそれぞれの入金機１０の入金機番号に関連付けて、機器の接続の有無や機能の有無などの情報を規定したデータである。レジ設定データ１７ｄは、複合小売店内に設置されているそれぞれのレジの識別情報に関連付けて、レジの名称や、入金を行う際に必要な入金機１０のオプション機器や機能などを規定したデータである。レジ特性別設定データ１７ｅは、複合小売店内に設置されているレジの特性に関連付けて、入金を行う際に必要な入金機１０のオプション機器や機能などを規定したデータである。
【００５７】
権限設定データ１７ｆは、入金処理における入力操作ごとに管理者による操作の可否及び担当者による操作の可否を設定したデータである。レジカードマッピングデータ１７ｇは、レジカードのＩＣチップ内に記憶されている店番号、部門番号及びレジ番号を、画面表示上などの店番号、部門番号及びレジ番号にマッピングするためのデータである。本来レジカードを作り直さねばならないような複合小売店に含まれる店の構成の大幅な変更があった場合にも、このレジカードマッピングデータ１７ｇを設定することによって既存のカードを有効活用することが可能となる。
【００５８】
利用者データ１７ｈは、入金処理時にＩＣカードリーダライタ１３でレジカード若しくは店員カードから読み取ったレジ及び／又は操作者に係るデータである。また、利用者データ１７ｈは、表示操作部１１から入力することもできる。入金履歴データ１７ｉは、入金機１０で入金操作を行った履歴である。また、入金履歴データ１７ｉは、子機では自装置で処理された入金の履歴データだけであるが、親機では子機から送信されてきた入金履歴データ１７ｉも登録していることから、複合小売店全体の入金機１０における入金処理の履歴を含んでいる。
【００５９】
本体制御部１８は、入金機１０を全体制御する制御部であり、入金機情報設定部１８ａ、レジ情報設定部１８ｂ、入金処理部１８ｃ、入金状況照会部１８ｄ、通帳印字部１８ｅ及び入金履歴データ集信部１８ｆを有する。実際には、この機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００６０】
入金機情報設定部１８ａは、親機の機能として、入金機設定データ１７ｃを設定、更新する機能を有しており、設定、更新した入金機設定データ１７ｃを複合小売店内に設置された子機である他の入金機１０に配信する。また、入金機情報設定部１８ａは、子機の機能として、親機から配信された入金機設定データ１７ｃで自装置内の入金機設定データ１７ｃを更新する。
【００６１】
レジ情報設定部１８ｂは、親機の機能として、レジ設定データ１７ｄ及びレジ特性別設定データ１７ｅを設定、更新する機能を有しており、設定、更新したレジ設定データ１７ｄ及びレジ特性別設定データ１７ｅを複合小売店内に設置された子機である他の入金機１０に配信する。また、レジ情報設定部１８ｂは、子機の機能として、親機から配信されたレジ設定データ１７ｄ及びレジ特性別設定データ１７ｅで自装置内のレジ設定データ１７ｄ及びレジ特性別設定データ１７ｅを更新する。
【００６２】
入金処理部１８ｃは、親機、子機の共通機能であり、入金機１０の入金処理全体を通帳印字部１８ｅや入金履歴データ集信部１８ｆを活用して制御する処理部である。
【００６３】
入金状況照会部１８ｄは、親機の機能であり、レジ設定データ１７ｄと、当日の入金履歴データ１７ｉと、入金済判定対象時間設定データ１７ｂとを利用して、複合小売店内の全てのレジの売上の入金の完了状況の照会を行う処理部である。具体的には、レジ設定データ１７ｄに規定のある全てのレジに関して、入金済判定対象時間設定データ１７ｂに規定されている時間の範囲に、入金履歴データ１７ｉに入金の記録があるか否かを判定し、入金の記録がないレジは当日の売上金の入金が完了していないと判定する。
【００６４】
通帳印字部１８ｅは、入金処理部１８ｃの指示された内容を通帳に印字できるように通帳プリンタ２１の制御を行う。
【００６５】
入金履歴データ集信部１８ｆは、子機の機能として、入金処理部１８ｃによって更新された入金履歴データ１７ｉを、入金処理部１８ｃの指示に従って親機に送信する。また、入金履歴データ集信部１８ｆは、親機の機能として、子機から送信されてきた入金履歴データ１７ｉの更新情報を、自装置内の入金履歴データ１７ｉに反映する。
【００６６】
次に、入金機１０の本実施例に係るデータ構成について説明する。図７及び図８は、入金機１０の本実施例に係るデータ構成について説明するための説明図である。
【００６７】
図７に示すように、入金機設定データ１７ｃは、入金機１０の識別情報である入金機番号に関連付けて、親子区分、通帳プリンタ２１の接続の有無、カセット解錠機２２の接続の有無、包装硬貨入金機２３の接続の有無、紙幣入金の可否、硬貨入金の可否及び商品券入金の可否をレコードの項目として有するデータである。紙幣入金、硬貨入金及び商品券入金は、入金機１０の装置としては処理可能であるが、運用上、例えば、商品券専用の入金機１０又は硬貨専用の入金機１０などとする場合には、紙幣入金の可否、硬貨入金の可否及び商品券入金の可否を設定して一部の機能を制限することも可能である。
【００６８】
図７の入金機設定データ１７ｃの例は、入金機番号「０１」の入金機１０は「親」機であって、通帳プリンタ２１の接続は「無」で、カセット解錠機２２の接続は「無」で、包装硬貨入金機２３の接続は「無」で、紙幣入金は「可」で、硬貨入金は「可」で、商品券入金は「可」であることを示している。また、入金機番号「０２」の入金機１０は「子」機であって、通帳プリンタ２１の接続は「有」で、カセット解錠機２２の接続は「有」で、包装硬貨入金機２３の接続は「無」で、紙幣入金は「可」で、硬貨入金は「可」で、商品券入金は「可」であることを示している。
【００６９】
図７に示すように、レジ設定データ１７ｄは、レジの識別情報である店番号、部門番号及びレジ番号に関連付けて、レジ名称、つり銭準備金の要否及び金額、入金時に伝票合計金額入力の要否、入金処理の結果の出力先、入金時にカセット解錠機２２の要否及び取り扱っている決済手段の情報をレコードの項目とするデータである。取り扱っている決済手段の情報には、現金、商品券、クレジット、電子マネーなどごとに決済手段として使用可能か否かの情報を有している。
【００７０】
図７のレジ設定データ１７ｄの例は、店番号「０１」、部門番号」「０１０」、レジ番号「００１」のレジは、レジ名称が「Ａ店レジ＃１」で、つり銭準備金、入金時の伝票合計金額入力の要否、入金処理の結果の出力先については規定しておらず、入金時のカセット解錠機２２は「要」で、取扱決算手段は現金、商品券、クレジットの取り扱いは規定しておらず、電子マネーの取り扱いは「不可」であることを示している。また、店番号「０２」、部門番号「００１」、レジ番号「０２１」のレジは、レジ名称が「Ｂ店レジ＃１」で、つり銭準備金が「２０，０００」円で、入金時の伝票合計金額入力の要否、入金処理の結果の出力先については規定しておらず、入金時のカセット解錠機２２は「不要」で、取扱決算手段は現金、商品券及びクレジットの取り扱いが「可」で、電子マネーの取り扱いは「不可」であることを示している。
【００７１】
図７に示すように、レジ特性別設定データ１７ｅは、レジの特性に関連付けて、レジ設定データ１７ｄにも含まれていたつり銭準備金、入金時に伝票合計金額入力の要否、入金処理の結果の出力先、入金時にカセット解錠機２２の要否及び取り扱っている決済手段の情報をレコードの項目とするデータである。特定のレジについて、当該レジに対応する特性データに対するレジ特性別設定データ１７ｅの内容と、当該レジに対応するレジ設定データ１７ｄに規定された内容とが不一致の項目がある場合にはレジ設定データ１７ｄが優先される。
【００７２】
図７のレジ特性別設定データ１７ｅの例は、レジ特性が「直営店」の場合には、つり銭準備金が「２０，０００」円で、入金時の伝票合計金額入力が「要」で、入金処理の結果の出力先が「ジャーナル」で、入金時のカセット解錠機２２の要否は規定しておらず、取扱決算手段は現金、商品券及びクレジットの取り扱いが「可」で、電子マネーの取り扱いは規定していないことを示している。また、レジ特性が「テナント店」の場合には、つり銭準備金は規定しておらず、入金時の伝票合計金額入力が「不要」で、入金処理の結果の出力先が「通帳」で、入金時のカセット解錠機２２の要否は規定しておらず、取扱決算手段は現金、商品券、クレジット及び電子マネーの取り扱いは規定していないことを示している。
【００７３】
図７に示すように、権限設定データ１７ｆは、操作内容に対して、その操作内容を管理者がおこなうことの可否と、担当者が行うことの可否の情報を有している。図７の権限設定データ１７ｆの例では、伝票合計金額の手入力は管理者が「可」で、担当者も「可」であることを示している。また、現金金額の手入力は、管理者が「可」で、担当者は「不可」であることを示している。また、現外項目の手入力は、管理者が「可」で、担当者は「不可」であることを示している。
【００７４】
図８に示すように、レジカードマッピングデータ１７ｇは、カード物理情報に対応するマッピングカード情報を定義したデータである。カード物理情報には、レジカードに実際に記憶されている店番号、部門番号及びレジ番号が含まれている。また、マッピングカード情報にはカード物理情報に設定された情報を記憶したカードが読み込まれた場合に、内部的に変換先の店番号、部門番号及びレジ番号を有している。
【００７５】
図８のレジカードマッピングデータ１７ｇの例は、ＩＣカードリーダライタ１３で店番号、部門番号の設定がなくてレジ番号が「００１」のレジカードが読み込まれた場合には、店番号「０１」で、部門番号が「０１０」で、レジ番号が「００１」として扱うことを示している。また、ＩＣカードリーダライタ１３で店番号が「０２」で、部門番号が「００１」で、レジ番号が「００１」のレジカードが読み込まれた場合には、店番号「０２」で、部門番号が「００１」で、レジ番号が「０２１」として扱うことを示している。また、ＩＣカードリーダライタ１３で読み込んだレジカードの店番号、部門番号及びレジ番号に対応するレコードがレジカードマッピングデータ１７ｇに存在しない場合には、変換は行わずにレジカードから読み込んだ店番号、部門番号及びレジ番号をそのまま使用するものとする。
【００７６】
図８に示すように、利用者データ１７ｈは、レジカード情報及び店員カード情報を有している。レジカード情報には、レジカードから読み取った店番号、部門番号及びレジ番号を含む。また、店員カード情報には店員カードから読み取った店員区分及び店員番号を含む。図６の利用者データ１７ｈの例は、店番号が「０１」で、部門番号が「０１０」で、レジ番号が「００１」のレジカードが読み込まれたことを示している。
【００７７】
図８に示すように、入金履歴データ１７ｉは、入金を１回行うごとに１レコード作成されるデータであって、入金を行った日付、時刻、入金機１０の入金機番号、店番号、部門番号、レジ番号、店員区分、店員番号、伝票合計金額、入金金額、ジャーナル及び／又は通帳プリンタ２１への出力結果及び親機への集信履歴をレコードの項目とするデータである。入金金額には、現金の入金額と現外項目の入金額と入金額の内、始業前に持ち出したつり銭準備金の金額とを含む。また、現外項目の入金額には、商品券の入金額、クレジット決済額、電子マネー決済額などが含まれる。ただし、クレジット決済額及び電子マネー決済額は入金機１０に物が収納されるわけではない。
【００７８】
図８の入金履歴データ１７ｉの例は、日付「２０１３／４／１」の時刻「２０：３０」に、入金機番号が「０３」の入金機１０で、店番号が「０１」で、部門番号が「０１０」で、レジ番号が「００３」のレジの売上金の入金が行われ、伝票合計金額が「２８０，０００」円で、現金の入金が「２２０，０００」円で、商品券の入金が「２５，０００」円で、クレジット決済額が「５５，０００」円で、電子マネー決済額が「０」円で、内つり銭準備金が「２０，０００」円で、出力処理は「正常」に終了していて、入金履歴データ１７ｉの当該レコードは親機に「送信済」であることを示している。
【００７９】
次に、回収カセット４０を持ち込んで入金して入金結果を通帳に印字する場合の、入金処理に係る画面表示内容を説明する。図９は、回収カセット４０を持ち込んで入金して入金結果を通帳に印字する場合の、入金処理に係る画面表示内容を説明するための説明図である。
【００８０】
入金機１０において、入金処理を選択したならば図９（ａ）に示すように、レジカードをＩＣカードリーダライタ１３にタッチする旨のメッセージを表示する。また、図９（ａ）の下部に表示されている「レジ番号手入力」ボタンの押下を受け付けると、表示操作部１１にレジ番号の入力用の画面を表示して、画面操作によるレジ番号の入力によって、レジカードをＩＣカードリーダライタ１３で読み込ませることを代替することが可能である。
【００８１】
メッセージに従ってレジカードをＩＣカードリーダライタ１３にタッチすることによってレジカードの情報が読み込まれると、ＩＣカードから読み込んだ情報に基づいて入金を行おうとしているレジの店番号、部門番号及びレジ番号などのレジの識別情報を取得する。また、取得した入金を行おうとしているレジの識別情報と、レジ設定データ１７ｄ及びレジ特性別設定データ１７ｅから、当該レジの入金を行う際にカセット解錠機２２及び通帳プリンタ２１が必要か否かの判別を行う。図９に示す例は、入金を行う際にカセット解錠機２２及び通帳プリンタ２１が必要と判別された場合の画面表示例である。
【００８２】
自装置の入金機１０の識別情報である入金機番号１７ａと入金機設定データ１７ｃとから、自装置にカセット解錠機２２が接続されているのか否かの判定を行う。自装置にカセット解錠機２２が接続されていない場合には図９（ｂ）に示すように、自装置にカセット解錠機２２が接続されていない旨のメッセージと、入金機設定データ１７ｃを参照してカセット解錠機２２が接続されている入金機１０の識別情報を表示して、処理の続行を示す「はい」のボタンと処理の中断を示す「いいえ」のボタンとを画面の下部に表示する。図９（ｂ）の画面で「いいえ」が選択された場合には処理を中断して終了する。また、カセット解錠機２２が接続されている場合、及びカセット解錠機２２が接続されていないが図９（ｂ）の画面で処理続行を示す「はい」を選択された場合には、次の自装置に通帳プリンタ２１が接続されているのか否かの判定の処理に移行する。
【００８３】
自装置の入金機１０の識別情報である入金機番号１７ａと入金機設定データ１７ｃとから、自装置に通帳プリンタ２１が接続されているのか否かの判定を行う。自装置に通帳プリンタ２１が接続されていない場合には図９（ｃ）に示すように、自装置に通帳プリンタ２１が接続されていない旨のメッセージと、入金機設定データ１７ｃを参照して通帳プリンタ２１が接続されている入金機１０の識別情報を表示して、処理の続行を示す「はい」のボタンと処理の中断を示す「いいえ」のボタンとを画面の下部に表示する。図９（ｃ）の画面で「いいえ」が選択された場合には処理を中断して終了する。また、通帳プリンタ２１が接続されている場合、及び通帳プリンタ２１が接続されていないが図９（ｃ）の画面で処理続行を示す「はい」を選択された場合には、図９（ｄ）の画面に遷移する。
【００８４】
図９（ｄ）の画面に表示される「現金または商品券をセットしてスタートを押して下さい」というメッセージに従って、現金又は商品券を投入口にセットして、投入した有価媒体に応じた「現金入金」ボタン又は「商品券入金」のボタンのいずれかを選択したうえで、「スタート」ボタンを押下すると、投入した現金又は商品券の計数を開始する。図９の例は、図９（ｄ）の状態で、紙幣投入口１４ａに紙幣、硬貨投入口１５ａに硬貨を投入して、「現金入金」ボタンを押下することによって現金入金を選択して、「スタート」ボタンを押下して現金の計数を開始させたことを示している。
【００８５】
図９（ａ）で読み込んだレジカードの情報から、レジの識別情報を特定して、当該レジに対する入金処理の制御に係る情報を取得する。図９の例はテナント店のレジの入金処理の例であり、レジ設定データ１７ｄ若しくはレジ特性別設定データ１７ｅの設定値より伝票合計金額の入力が不要という設定になっていた場合の画面遷移を示している。伝票合計金額の入力が不要であることから、伝票合計金額の入力画面の表示は行わない。現金の計数（１５０，０００円）が終了すると、図９（ｅ）の画面に遷移する。
【００８６】
図９（ｅ）の画面は、入金内容の確認及び追加の入金の指示を行うための画面であり、受け付けた現金の計数結果（１５０，０００円）は、画面上の現金の欄に反映される。また、売上金合計及び入金合計欄には現金計数の結果（１５０，０００円）から、つり銭（２０，０００円）を差し引いた「１３０，０００」円が表示される。画面下部には、追加で現金の入金の指示をする「現金入金スタート」ボタンと、商品券の入金の指示をする「商品券入金スタート」ボタンと、画面に表示されている入金内容に問題がなく、この内容で入金処理を実行する場合に押下する「完了」ボタンとが配置される。
【００８７】
図９（ｅ）の状態で、商品券を紙幣投入口１４ａにセットして「商品券入金スタート」ボタンを押下すると、商品券の計数が開始される。商品券の計数（７０，０００円）が終了すると図９（ｆ）の画面に遷移する。図９（ｆ）の画面は、商品券の計数結果が反映され、現外項目の欄に商品の計数結果である「７０，０００」円が表示される。商品券の計数結果は入金合計及び売上金合計の欄にも加算され、入金合計及び売上金合計の欄の表示は「２００，０００」円となる。
【００８８】
図９（ｆ）の状態で、「完了」ボタンを押下することによって、ジャーナル及び／または通帳の印字を行い、入金履歴データ１７ｉの当該入金に対するレコードの確定を行うとともに、紙幣一時保留部１４ｇに保留されていた紙幣と商品券を紙幣収納部１４ｈに収納し、硬貨一時保留部１５ｅに保留されていた硬貨を硬貨収納部１５ｆに収納する。ただし、通帳プリンタ２１が接続されていない場合には通帳の印字は行われない。
【００８９】
尚、当該レジの入金を行う際にカセット解錠機２２及び／または通帳プリンタ２１が必要ないと判断された場合は、図９（ｂ）及び／または図９（ｃ）の画面はスキップされる。
【００９０】
次に、入金機１０における入金処理の処理手順を説明する。図１０は、入金機１０における入金処理の処理手順を示すフローチャートである。
【００９１】
まず、入金処理部１８ｃは、レジカードの読み込み、通帳の磁気テープ読み込み若しくは画面からの手入力を受け付けることによって店番号、部門番号及びレジ番号などのレジの識別情報の取得を行い、入金履歴データ１７ｉに新規レコードを追加して取得したレジの識別情報及びつり銭準備金を書き込む（ステップＳ１０１）。ステップＳ１０１の詳細な処理手順は後述する。
【００９２】
次にステップＳ１０１で取得した店番号、部門番号及びレジ番号などのレジの識別情報と、レジ設定データ１７ｄと、レジ特性別設定データ１７ｅとから、レジの識別情報に対するレジの売上金の入金の際に必要な機器を特定して、自装置のレジの識別情報である入金機番号１７ａと、入金機設定データ１７ｃとから、自装置に入金の際に必要な機器が接続されているか否かのチェックを行う（ステップＳ１０２）。ステップＳ１０２のチェックの結果、入金の際に必要な機器が全て接続されている場合（ステップＳ１０３；Ｙｅｓ）には、ステップＳ１０７に移行する。また、ステップＳ１０２のチェックの結果、入金の際に必要な機器のいずれかが接続されていない場合（ステップＳ１０３；Ｎｏ）には、入金処理部１８ｃは、図９（ｂ）や図９（ｃ）に示したメッセージを表示操作部１１に表示する（ステップＳ１０４）。ステップＳ１０４で表示したメッセージに対して処理を続行しないことを示す「いいえ」ボタンが押下された場合（ステップＳ１０５；Ｎｏ）には、ステップＳ１０１で入金履歴データ１７ｉに一旦追加したレコードの削除をして（ステップＳ１０６）、処理を終了する。ステップＳ１０４で表示したメッセージに対して処理を続行することを示す「はい」ボタンが押下された場合（ステップＳ１０５；Ｙｅｓ）には、ステップＳ１０７に移行する。
【００９３】
次に、入金処理部１８ｃは、入金処理に係る初期処理を行う（ステップＳ１０７）。初期処理について具体的に説明する。入金処理部１８ｃは、図９（ｄ）に示す入金処理開始時の画面の表示を行う。ただし、入金機設定データ１７ｃの内容によって、紙幣入金及び硬貨入金のいずれも不可の場合には「現金入金」のボタンは表示しない。また、商品券入金可否が不可の場合には「商品券入金」のボタンは表示しない。また、入金処理部１８ｃは、紙幣制御部１４及び硬貨制御部１５に対して指示することによって紙幣投入口１４ａ及び硬貨投入口１５ａを開けて貨幣若しくは商品券を投入可能な状態にする。また、入金処理部１８ｃは、カセット解錠機２２が接続されていて、カセット解錠機２２が必要な機器である場合には、カセット解錠機２２を使用可能な状態にする。また、入金処理部１８ｃは、包装硬貨入金機２３が接続されていて、包装硬貨入金機２３が必要な機器である場合には、包装硬貨入金機２３を包装硬貨が投入可能な状態にする。このように、オプションで接続される機器については、接続されていても当該機器が必要でない場合には、当該機器を使えない状態にしておくことによって、入金処理全体の性能アップや、不要な操作ができてしまうことによる誤操作の防止を図ることができる。
【００９４】
図９（ｄ）の画面で「現金入金」が指定された状態で「スタート」ボタンの押下を受け付けたならば（ステップＳ１０８；Ｙｅｓ、ステップＳ１０９；Ｙｅｓ）、入金処理部１８ｃは、紙幣制御部１４に対して紙幣投入口１４ａに投入した紙幣の計数の指示と、硬貨制御部１５に対して硬貨投入口１５ａに投入した硬貨の計数の指示と、包装硬貨入金機２３に対して投入された包装硬貨の計数の指示とを行うことにより現金の計数処理を開始する（ステップＳ１１０）。また、図９（ｄ）の画面で「商品券入金」が指定された状態で「スタート」ボタンの押下を受け付けたならば（ステップＳ１０８；Ｙｅｓ、ステップＳ１０９；Ｎｏ）、紙幣制御部１４に対して紙幣投入口１４ａに投入した商品券の計数の指示を行うことにより商品券の計数処理を開始する（ステップＳ１１１）。ステップＳ１０７で表示した図９（ｄ）の画面で「スタートボタン」の押下を受け付けていない場合（ステップＳ１０８；Ｎｏ）には、ステップＳ１０８に戻ることによって「スタート」ボタンの押下を待ち合わせる。
【００９５】
ステップＳ１１０で現金の計数処理を開始するか、ステップＳ１１１で商品券の計数処理を開始したならば、入金処理部１８ｃは、ステップＳ１０１で取得したレジの識別情報と、レジ設定データ１７ｄと、レジ特性別設定データ１７ｅとから、伝票合計金額の入力の要否の判定を行う（ステップＳ１１２）。伝票合計金額の入力が必要と判定した場合（ステップＳ１１２；Ｙｅｓ）には、伝票合計金額の入力用の画面の表示を行って伝票合計金額の入力を受け付けて、受け付けた伝票合計金額でステップＳ１０１で追加した入金履歴データ１７ｉの伝票合計金額を更新する（ステップＳ１１３）。伝票合計金額の入力が不要と判定した場合（ステップＳ１１２；Ｎｏ）には、ステップＳ１１３をスキップしてステップＳ１１４に移行する。
【００９６】
伝票合計金額の入力を受け付けた場合、若しくは伝票合計金額の入力が不要と判定した場合には、入金処理部１８ｃは、現金若しくは商品券の計数中であることを示す画面の表示を行う（ステップＳ１１４）。
【００９７】
次に、指示していた計数処理が終了した場合（ステップＳ１１５；Ｙｅｓ）には、入金処理部１８ｃは、計数結果として通知された内容をステップＳ１０１で追加した入金履歴データ１７ｉの現金の入金額若しくは商品券の入金額に反映し（ステップＳ１１６）、入金履歴データ１７ｉの更新後の当該レコードの内容を反映した入金内容の確認及び追加の入金の指示を行うための画面の表示を行う（ステップＳ１１７）。指示していた計数処理が終了していない場合（ステップＳ１１５；Ｎｏ）には、ステップＳ１１５に戻ることによって指示していた計数処理の終了を待ち合わせる。入金内容の確認及び追加の入金の指示を行うための画面は、伝票合計金額の入力が不要と判定した場合には、図９（ｆ）のような画面が表示され、伝票合計金額の入力が必要と判定して伝票合計金額の入力を受け付けている場合には、図９（ｆ）に示した項目以外に、伝票合計金額と売上金額と伝票合計金額との差異を示す項目が付加された画面が表示される。また、図９（ｆ）に示したように、入金内容の確認及び追加の入金の指示を行うための画面の下部には、追加で現金の入金の指示をする「現金入金スタート」ボタンと、商品券の入金の指示をする「商品券入金スタート」ボタンと、画面に表示されている入金内容に問題がなく、この内容で入金処理を実行する場合に押下する「完了」ボタンとが配置される。
【００９８】
ステップＳ１１７で表示された画面において「完了」ボタンの押下を受け付けた場合（ステップＳ１１８；Ｙｅｓ）には、入金処理部１８ｃは、ジャーナル及び／または通帳の印字や、入金履歴データ１７ｉの当該入金に対するレコードの確定や、紙幣一時保留部１４ｇに保留されていた紙幣と商品券を紙幣収納部１４ｈに収納や、硬貨一時保留部１５ｅに保留されていた硬貨を硬貨収納部１５ｆに収納などの入金完了時処理を行って（ステップＳ１１９）、入金処理を完了する。入金完了時処理の詳細な処理手順は後述する。
【００９９】
また、ステップＳ１１７で表示された画面において、「現金入金スタート」ボタンの押下を受付けたならば（ステップＳ１１８；Ｎｏ、ステップＳ１２０；Ｙｅｓ）、入金処理部１８ｃは、紙幣制御部１４に対して紙幣投入口１４ａに投入した紙幣の計数の指示と、硬貨制御部１５に対して硬貨投入口１５ａに投入した硬貨の計数の指示と、包装硬貨入金機２３に対して投入された包装硬貨の計数の指示とを行うことにより、現金の計数処理を開始して（ステップＳ１２１）、ステップＳ１１５に移行する。
【０１００】
また、ステップＳ１１７で表示された画面において、「商品券入金スタート」ボタンの押下を受付けたならば（ステップＳ１２０；Ｎｏ、ステップＳ１２２；Ｙｅｓ）、紙幣制御部１４に対して紙幣投入口１４ａに投入した商品券の計数の指示を行うことにより、商品券の計数処理を開始して（ステップＳ１２３）、ステップＳ１１５に移行する。
【０１０１】
また、ステップＳ１１７で表示された画面において、画面に表示されている伝票合計金額、現金、現外項目の項目名をタッチされた場合（ステップＳ１２２；Ｎｏ、ステップＳ１２４；Ｙｅｓ）、タッチされた項目の手入力用の画面の表示を行い、受け付けた手入力内容をステップＳ１０１で追加した入金履歴データ１７ｉに反映して（ステップＳ１２５）、ステップＳ１１７に移行する。
【０１０２】
また、ステップＳ１１７で表示された画面において、「現金入金スタート」ボタンの押下、「商品券入金スタート」ボタンの押下、及び画面に表示されている伝票合計金額、現金、現外項目の項目名のタッチを受けつけなかった場合（ステップＳ１２４；Ｎｏ）には、ステップＳ１１８に戻ることによって、いずれかの操作の待ち合わせを行う。
【０１０３】
次に、図１０に示した入金機１０における入金処理のレジ識別情報取得処理（ステップＳ１０１）の詳細な処理手順を説明する。図１１は、図１０に示した入金機１０における入金処理のレジ識別情報取得処理（ステップＳ１０１）の詳細な処理手順を示すフローチャートである。
【０１０４】
表示操作部１１に表示されるメニューから入金が選択されると、入金処理部１８ｃは、図９（ａ）に示したレジの識別情報を受け付けるための画面を表示して、レジの識別情報の入力を受け付ける（ステップＳ２０１）。レジカードがＩＣカードリーダライタ１３にかざされることによってレジカードの内容の読み込みを受付けたならば（ステップＳ２０２；Ｙｅｓ）、入金処理部１８ｃは、レジカードから読み取った情報から店番号、部門番号及びレジ番号などのレジの識別情報を取得する（ステップＳ２０３）。また、入金処理部１８ｃは、取得した店番号、部門番号及びレジ番号と、レジカードマッピングデータ１７ｇから、レジカードマッピングデータ１７ｇで変換された店番号、部門番号及びレジ番号を決定する（ステップＳ２０４）。
【０１０５】
さらに、入金処理部１８ｃは、利用者データ１７ｈにステップＳ２０４においてレジカードマッピングデータ１７ｇを用いて決定した変換後の店番号、部門番号及びレジ番号を登録するとともに、入金履歴データ１７ｉに１レコード追加して、追加したレコードにもステップＳ２０４においてレジカードマッピングデータ１７ｇを用いて決定した変換後の店番号、部門番号及びレジ番号を登録する（ステップＳ２０９）。また、入金処理部１８ｃは、ステップＳ２０４においてレジカードマッピングデータ１７ｇを用いて決定した変換後の店番号、部門番号及びレジ番号と、レジ設定データ１７ｄと、レジ特性別設定データ１７ｅとから、当該レジのつり銭準備金を特定し、追加した入金履歴データ１７ｉのレコードのつり銭準備金に書き込んで（ステップＳ２１０）、レジ識別情報取得処理を終了する。
【０１０６】
図９（ａ）に示したレジの識別情報を受け付けるための画面を表示している状態で、通帳プリンタ２１に通帳を挿入することによって、通帳の磁気テープの読み込みを受付けたならば（ステップＳ２０２；Ｎｏ、ステップＳ２０５；Ｙｅｓ）、入金処理部１８ｃは、読み込んだ通帳の磁気テープの情報から店番号、部門番号及びレジ番号などのレジの識別情報を取得して（ステップＳ２０６）、ステップＳ２０４に移行する。
【０１０７】
図９（ａ）に示したレジの識別情報を受け付けるための画面で、画面の下部に配置される「レジ番号手入力」のボタンの押下を受け付けたならば（ステップＳ２０５；Ｎｏ、ステップＳ２０７；Ｙｅｓ）、入金処理部１８ｃは、店番号、部門番号及びレジ番号が手入力することのできる画面の表示を行って、店番号、部門番号及びレジ番号の入力を受け付けて（ステップＳ２０８）、ステップＳ２０９に移行する。
【０１０８】
図９（ａ）に示したレジの識別情報を受け付けるための画面で、レジカードの内容の読み込み、通帳の磁気テープの読み込み若しくは「レジ番号手入力」のボタンの押下のいずれの入力も受けつけなかった場合（ステップＳ２０７；Ｎｏ）、ステップＳ２０２に戻ることによって、いずれかの操作が行われることを待ち合わせる。
【０１０９】
次に、図１０に示した入金機１０における入金処理の入金完了時処理（ステップＳ１１９）の詳細な処理手順を説明する。図１２は、図１０に示した入金機１０における入金処理の入金完了時処理（ステップＳ１１９）の詳細な処理手順を示すフローチャートである。
【０１１０】
図９（ｆ）に示したような入金内容の確認及び追加の入金の指示を行うための画面で、画面の下部に配置された「完了」ボタンが押下されると、入金処理部１８ｃは、図１０のステップＳ１０１で追加した入金履歴データ１７ｉのレコードの日付に本日日付、時刻に現在時刻を登録する（ステップＳ３０１）。また、レジの店番号、部門番号及びレジ番号などのレジの識別情報と、レジ設定データ１７ｄと、レジ特性別設定データ１７ｅの情報に基づいて、入金結果の出力としてジャーナル出力の要否の判定を行い（ステップＳ３０２）、ジャーナル出力が必要と判定した場合（ステップＳ３０２；Ｙｅｓ）には、入金処理部１８ｃは、入金内容を編集してジャーナル印字部１２から出力する（ステップＳ３０３）。ジャーナル出力が不要と判定した場合（ステップＳ３０２；Ｎｏ）には、ステップＳ３０４に移行する。
【０１１１】
また、同様にレジの店番号、部門番号及びレジ番号などのレジの識別情報と、レジ設定データ１７ｄと、レジ特性別設定データ１７ｅの情報に基づいて、入金結果の出力として通帳への出力の要否の判定を行う（ステップＳ３０４）。ステップＳ３０４において、通帳への出力が不要と判定した場合（ステップＳ３０４；Ｎｏ）には、ステップＳ３０８に移行する。ステップＳ３０４において、通帳への出力が必要と判定した場合（ステップＳ３０４；Ｙｅｓ）には、入金処理部１８ｃは、通帳へ印字する内容を編集して、編集したデータを通帳印字部１８ｅに渡し、通帳印字部１８ｅは受け取った印字データを通帳プリンタ２１に送信する（ステップＳ３０５）。通帳印字部１８ｅは、通帳プリンタ２１に印字データを送ると、通帳プリンタ２１からの印字終了の通知の待ち合わせを行い、印字データを送ってから所定の時間が経過しても印字終了の通知がなければ（ステップＳ３０６；Ｙｅｓ）、通帳プリンタ２１へ送った印字データをキャンセルして、図１０のステップＳ１０１で追加した入金履歴データ１７ｉの出力結果にタイムアウトのため未出力である旨を書き込んで（ステップＳ３０９）、ステップＳ３１０に移行する。また、印字データを送ってからまだ所定時間が経過していなくて（ステップＳ３０６；Ｎｏ）、通帳プリンタ２１から通帳印字が終了した旨の通知も受け取っていない場合（ステップＳ３０７；Ｎｏ）には、ステップＳ３０６に戻る。また、通帳プリンタ２１から通帳印字が終了した旨の通知を受け取った場合（ステップＳ３０７；Ｙｅｓ）には、図１０のステップＳ１０１で追加した入金履歴データ１７ｉのレコードの出力結果に出力済である旨を書き込む（ステップＳ３０８）。ただし、当該入金機１０に通帳プリンタ２１が接続されていない場合にはステップＳ３０４〜ステップＳ３０８の処理は行わない。
【０１１２】
次に、入金機番号１７ａ及び入金機設定データ１７ｃに基づいて、自身が親機なのか子機なのかの判定を行い（ステップＳ３１０）、自身が子機であると判定した場合（ステップＳ３１０；Ｙｅｓ）には、図１０のステップＳ１０１で追加した入金履歴データ１７ｉのレコードを親機の入金機１０に送信して、入金履歴データ１７ｉの当該レコードの入金履歴を送信済に更新して（ステップＳ３１１）、入金完了時処理を終了する。また、自身が親機であると判定した場合（ステップＳ３１０；Ｎｏ）には、ステップＳ３１１の処理は行わずに入金完了時処理を終了する。
【０１１３】
上述してきたように、本実施例では、入金に先立ってレジカードを読み込むことなどによって、行おうとしている入金に対応するレジを識別して、識別したレジに対応する入金において必要な入金機１０の機能を特定し、特定した入金機１０の機能が当該入金機１０で機能しない状態の場合には、当該入金機１０では必要な機能が機能していない旨の報知と、入金において必要な入金機１０の機能が機能している入金機１０の識別情報の報知を行うよう構成したので、必要な機能を有していない装置で入金処理を行おうとしたとしても、操作者に適切な情報を提供することによって、本来行おうとしている入金処理を効率よく完了させることができる。
【０１１４】
なお、上述の本実施例では、入金機１０で入金を開始しようとした時に、当該入金機１０に、行おうとしている入金で必要な機器が接続されていない場合に、必要な機器が接続されていない旨のメッセージを表示して、必要な機器の接続されている入金機１０の識別情報も併せて報知するようにしたが、本発明はこれに限定するものではない。例えば、入金機１０の使用開始及び使用終了の情報を親機に通知して、親機で全ての入金機１０の稼働状況を管理するようにして、必要な機器が接続されていない旨のメッセージの表示時に、入金機設定データ１７ｃの情報だけではなく、親機の管理している全ての入金機１０の可動状況も活用して、必要な機器の接続されている現在使用されていない入金機１０の識別番号を併せて報知するようにしてもよい。
【０１１５】
また、上述の本実施例では、レジの特性は入金機１０が設定情報として保有することで説明したが、本発明はこれに限定するものではない。例えば、レジカードのＩＣチップ内に特性を示す情報を保有するものとしてもよい。また、例えば入金機１０とデータ通信可能な管理ＰＣ３０などにレジごとの特性を示す情報を保有して、入金処理時にデータ通信を行って管理ＰＣ３０などからレジごとの特性を示す情報を取得するようにしてもよい。また、例えば全ての入金機１０が設定情報を保有するのではなく、複数存在する入金機１０のうちの、所定の１台の入金機１０にレジごとの特性を示す情報を保有して、入金処理時にデータ通信を行ってレジごとの特性を示す情報を取得するようにしてもよい。
【０１１６】
また、上述の本実施例では、売上金の入金を行う入金機能を有する入金機１０に適用した例を説明したが、本発明はこれに限定されるものではない。例えば、売上金の入金及びつり銭準備金の出金の行える入出金機にて、同様の機能を適用してもよい。また、レジごとの特性に応じてつり銭準備金の出金の機能の使用の有無や、使用する場合のつり銭準備金の額の操作による変更の可否などの情報を持たせて、つり銭準備金の出金に係る画面や項目の表示をレジごとの特性に応じて制御するようにしてもよい。
【０１１７】
また、上述の本実施例では、通帳プリンタ２１やカセット解錠機２２などのオプション機能を入金機１０が備えているか否かによってメッセージの表示などの制御を行うものとしたが、本発明はこれに限定されるものではない。例えば、通帳プリンタ２１を備えていたとしてもインク切れなどのように機能が実現できない状態になっている場合に、機器を備えていない場合と同様の制御を行うようにしてもよい。また、このような入金機１０に搭載可能なオプション機能の有無に基づいて制御することに限定されるものではなく、例えば、ＵＢＳケーブルなどによって外部接続される機器の接続の有無によって制御を行うようにしてもよい。また、例えば、ＬＡＮなどの通信線を介して使用することができる機器を対象として、入金機１０から使用することができるように環境設定が行われているか否かによって制御を行うようにしてもよい。
【０１１８】
また、上述の本実施例では、通帳プリンタ２１やカセット解錠機２２などのオプション機能を入金機１０が備えているか否かによってメッセージの表示などの制御を行うものとし、必要なオプション機能を備えていない場合に、メッセージ等の表示により操作者の意図を確認するものとしたが、本発明はこれに限定されるものではない。例えば、必要なオプション機能が備えられていない場合には、メッセージの表示などにより操作者の意図を確認することをせず、強制的に処理を終了するようにしてもよい。
【０１１９】
また、上述の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１２０】
以上のように、本発明に係る有価媒体処理システム、有価媒体処理装置及び有価媒体処理方法は、親会社の直営店と他社のテナント店が入店している複合小売店において、いずれの店の操作者にとっても分かり易い操作によってレジごとの売上金の入金を行えるようにすることに適している。
【符号の説明】
【０１２１】
１０  入金機
１１  表示操作部
１２  ジャーナル印字部
１３  ＩＣカードリーダライタ
１４  紙幣制御部
１４ａ  紙幣投入口
１４ｂ  紙幣リジェクト口
１４ｃ  紙幣スタッカ部
１４ｄ  紙幣スタッカシャッタ
１４ｅ  紙幣搬送部
１４ｆ  紙幣識別部
１４ｇ  紙幣一時保留部
１４ｈ  紙幣収納部
１５  硬貨制御部
１５ａ  硬貨投入口
１５ｂ  硬貨リジェクト口
１５ｃ  硬貨搬送部
１５ｄ  硬貨識別部
１５ｅ  硬貨一時保留部
１５ｆ  硬貨収納部
１６  通信部
１７  記憶部
１７ａ  入金機番号
１７ｂ  入金済判定対象時間設定データ
１７ｃ  入金機設定データ
１７ｄ  レジ設定データ
１７ｅ  レジ特性別設定データ
１７ｆ  権限設定データ
１７ｇ  レジカードマッピングデータ
１７ｈ  利用者データ
１７ｉ  入金履歴データ
１８  本体制御部
１８ａ  入金機情報設定部
１８ｂ  レジ情報設定部
１８ｃ  入金処理部
１８ｄ  入金状況照会部
１８ｅ  通帳印字部
１８ｆ  入金履歴データ集信部
２１  通帳プリンタ
２２  カセット解錠機
２２ａ  スライドベース部
２２ｂ  カバー部
２２ｃ  ロック解錠部
２２ｄ  表示部
２３  包装硬貨入金機
３０  管理ＰＣ
４０  回収カセット
４０ａ  上方筐体部
４０ｂ  下方筐体部
【図１】
2016146034.tif 000003
【図２】
2016146034.tif 000004
【図３】
2016146034.tif 000005
【図４】
2016146034.tif 000006
【図５】
2016146034.tif 000007
【図６】
2016146034.tif 000008
【図７】
2016146034.tif 000009
【図８】
2016146034.tif 000010
【図９】
2016146034.tif 000011
【図１０】
2016146034.tif 000012
【図１１】
2016146034.tif 000013
【図１２】
2016146034.tif 000014